(57)【要約】【課題】部品の寿命が来ているか否かにかかわらず、画像形成装置の振動や音に基づき異常動作の発生を検出する。【解決手段】本発明の画像形成装置１０は、振動又は騒音を検出する振動検出部２６又は騒音検出部２７と、当該画像形成装置１０の正常動作時の振動又は騒音を示す情報を予め記憶した記憶部２８と、振動検出部２６又は騒音検出部２７により検出された振動又は騒音が記憶部２８に記憶されている正常動作時の振動又は騒音を示す情報に対応するか否かを判定し、対応しないと判定した場合に、画像形成装置１０に異常動作が発生したと検出する制御部３１と、を備えるものである。【選択図】図２
2020197614.tif 000002
【特許請求の範囲】
【請求項１】
振動又は音を検出する検出部と、
本画像形成装置の正常動作時の振動又は音を示す情報を予め記憶した記憶部と、
前記検出部により検出された振動又は音が前記記憶部に記憶されている正常動作時の振動又は音を示す情報に対応するか否かを判定し、対応すると判定した場合に、前記画像形成装置に異常動作が発生していないと検出し、対応しないと判定した場合に、前記画像形成装置に異常動作が発生したと検出する制御部と、を備える画像形成装置。
【請求項２】
前記記憶部には、前記画像形成装置により実行される複数種のジョブ別に、ジョブを実行しているときの前記画像形成装置の正常動作時の振動又は音を示す情報が該ジョブに対応付けて予め記憶され、
前記制御部は、前記各種のジョブのいずれかの実行に際し、実行されているジョブに対応付けられている正常動作時の振動又は音を示す情報を前記記憶部から読み出し、前記検出部により検出された振動又は音が前記読み出した正常動作時の振動又は音を示す情報に対応するか否かを判定し、対応すると判定した場合に、前記画像形成装置に異常動作が発生していないと検出し、対応しないと判定した場合に、前記画像形成装置に異常動作が発生したと検出する請求項１に記載の画像形成装置。
【請求項３】
前記記憶部には、前記画像形成装置の異常動作時の振動又は音を示す情報が予め記憶され、
前記制御部は、前記検出部により検出された振動又は音が前記記憶部に記憶されている異常動作時の振動又は音を示す情報に対応するか否かを判定し、対応すると判定した場合に、前記画像形成装置に異常動作が発生したと検出し、対応しないと判定した場合に、前記画像形成装置に異常動作が発生したと検出しない請求項１に記載の画像形成装置。
【請求項４】
前記記憶部には、前記画像形成装置により実行される複数種のジョブ別に、ジョブを実行しているときの前記画像形成装置の異常動作時の振動又は音を示す情報が該ジョブに対応付けられて予め記憶され、
前記制御部は、前記各種のジョブのいずれかの実行に際し、実行されているジョブに対応付けられている異常動作時の振動又は音を示す情報を前記記憶部から読み出し、前記検出部により検出された振動又は音が前記読み出した異常動作時の振動又は音の情報に対応するか否かを判定し、対応すると判定した場合に、前記画像形成装置に異常動作が発生したと検出し、対応しないと判定した場合に、前記画像形成装置に異常動作が発生したと検出しない請求項１に記載の画像形成装置。
【請求項５】
前記制御部は、前記検出部により検出された振動又は音が検出される度に、前記検出された振動又は音を示す情報を前記記憶部に記憶させ、該検出された振動又は音を示す情報が前記検出部により以前に検出されて前記記憶部に記憶されている振動又は音を示す情報とは異なる場合に、該検出された振動又は音を示す情報を異常動作時の振動又は音を示す情報として前記記憶部に記憶させる請求項１に記載の画像形成装置。
【請求項６】
前記制御部は、前記画像形成装置に発生した異常動作を検出する度に、前記検出された異常動作時の振動又は音を示す情報を履歴情報として前記記憶部に記憶させ、前記記憶部に記憶されている異常動作の履歴情報に基づき該異常動作を報知する請求項１乃至請求項５のいずれか１つに記載の画像形成装置。
【請求項７】
前記制御部は、ユーザーからの指示に従って、前記検出部により検出された異常動作時の振動又は音を示す情報を、前記画像形成装置の正常動作時の振動又は音を示す情報として前記記憶部に記憶させる請求項１乃至請求項６のいずれか１つに記載の画像形成装置。
【請求項８】
前記記憶部には、前記画像形成装置の周辺環境の振動又は音を示す情報が予め記憶され、
前記制御部は、前記検出部により検出された振動又は音が前記記憶部に記憶されている周辺環境の振動又は音を示す情報に対応するか否かを判定し、対応すると判定した場合に、前記記憶部に記憶されている他の情報に基づく、前記画像形成装置の異常動作の検出を行わない請求項１乃至請求項７のいずれか１つに記載の画像形成装置。
【請求項９】
前記制御部は、ユーザーからの指示に従って、前記検出部により検出された異常動作時の振動又は音を示す情報を、前記画像形成装置の正常動作時の振動又は音を示す情報として、或いは、前記画像形成装置の周辺環境の振動又は音を示す情報として、前記記憶部に記憶させる請求項８に記載の画像形成装置。
【請求項１０】
前記記憶部には、前記振動又は音を示す情報として、該振動又は音のレベル、周波数、発生周期、及び発生時間が予め記憶され、
前記制御部は、前記検出部により検出された振動又は音を解析して、該検出された振動又は音のレベル、周波数、発生周期、及び発生時間を取得し、該取得した振動又は音のレベル、周波数、発生周期、及び発生時間が、前記記憶部に記憶されている振動又は音のレベル、周波数、発生周期、及び発生時間に、一致又は近似するときは、前記検出部により検出された振動又は音が前記記憶部に記憶されている振動又は音を示す情報に対応すると判定し、一致又は近似しないときは、前記検出部により検出された振動又は音が前記記憶部に記憶されている振動又は音を示す情報に対応しないと判定する請求項１乃至請求項９のいずれか１つに記載の画像形成装置。
【発明の詳細な説明】
【技術分野】
【０００１】
本発明は、コピーやプリントなどのジョブを実行する画像形成装置に関し、特に異常動作を検出するための技術に関する。
【背景技術】
【０００２】
この種の画像形成装置においては、例えば部品の使用回数や稼働時間を計測し、この計測した使用回数や稼働時間が予め設定された閾値に達したときに、つまり部品の寿命が来たときに該部品を交換している。例えば、特許文献１に記載の画像形成装置では、各部品の使用頻度を計数して、この使用頻度に基づき各部品の交換時期を判断し、交換時期に至る前に通信部を介して管理サーバーから交換ガイド情報を取得している。
【先行技術文献】
【特許文献】
【０００３】
【特許文献１】特開２００９−１２２２０７号公報
【発明の概要】
【発明が解決しようとする課題】
【０００４】
しかしながら、上記のように部品の寿命に基づき該部品を交換するだけでは、その寿命前の画像形成装置の不具合に対処することができない。
【０００５】
そこで、本発明は、上記の事情に鑑みなされたものであり、部品の寿命が来ているか否かにかかわらず、画像形成装置の振動や音に基づき異常動作の発生を検出することを目的とする。
【課題を解決するための手段】
【０００６】
本発明の一局面にかかる画像形成装置は、振動又は音を検出する検出部と、本画像形成装置の正常動作時の振動又は音を示す情報を予め記憶した記憶部と、前記検出部により検出された振動又は音が前記記憶部に記憶されている正常動作時の振動又は音を示す情報に対応するか否かを判定し、対応すると判定した場合に、前記画像形成装置に異常動作が発生したと検出せず、対応しないと判定した場合に、前記画像形成装置に異常動作が発生したと検出する制御部と、を備えるものである。
【発明の効果】
【０００７】
本発明によれば、部品の寿命が来ているか否かにかかわらず、画像形成装置の振動や音に基づき異常動作を検出することができる。
【図面の簡単な説明】
【０００８】
【図１】本発明の一実施形態にかかる画像形成装置を示す断面図である。
【図２】画像形成装置の主要内部構成を示すブロック図である。
【図３】画像形成装置の正常動作時の振動又は騒音を示す情報、異常動作時の振動又は騒音を示す情報、及び画像形成装置の周辺環境の振動又は騒音を示す情報を予め記憶したデータテーブルを概念的に示す図である。
【図４】画像形成装置によるジョブの実行に際し、振動検出部により検出された振動及び騒音検出部により検出された騒音に基づき画像形成装置の異常動作の発生を検出して報知するための処理手順を示すフローチャートである。
【発明を実施するための形態】
【０００９】
以下、本発明の一実施形態にかかる画像形成装置について図面を参照して説明する。
【００１０】
図１は、本発明の一実施形態にかかる画像形成装置を示す断面図である。図１に示すように本実施形態の画像形成装置１０は、例えばコピー機能、プリンター機能、ファクシミリ機能のような複数の機能を兼ね備えたＭＦＰ（複合機）である。この画像形成装置１０は、画像読取部１１と、画像形成部１２とを備えている。
【００１１】
画像読取部１１は、原稿の画像を光学的に読み取る撮像素子を有しており、この撮像素子のアナログ出力がデジタル信号に変換されて、原稿の画像を示す画像データが生成される。
【００１２】
画像形成部１２は、上記画像データによって示される画像を記録紙に形成するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１３】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１４】
次に、図２は、本実施形態の画像形成装置１０の主要内部構成を示すブロック図である。図２に示すように本実施形態の画像形成装置１０は、画像読取部１１と、画像形成部１２と、表示部２１と、操作部２２と、タッチパネル２３と、ファクシミリ通信部２４と、ネットワーク通信部２５と、振動検出部２６と、騒音検出部２７と、記憶部２８と、制御ユニット２９とを備えている。これらの構成要素は、互いにバスを通じてデータ又は信号の送受信が可能とされている。
【００１５】
表示部２１は、液晶ディスプレイ（ＬＣＤ：Liquid Crystal Display）や有機ＥＬ（ＯＬＥＤ：Organic Light-Emitting Diode）ディスプレイなどから構成される。操作部２２は、テンキー、決定キー、スタートキーなどの物理キーを備えている。
【００１６】
表示部２１の画面には、タッチパネル２３が配置されている。タッチパネル２３は、所謂抵抗膜方式や静電容量方式などのタッチパネルであって、タッチパネル２３に対するユーザーの指などの接触（タッチ）をその接触位置とともに検知して、その接触位置の座標を示す検知信号を制御ユニット２９の後述する制御部３１などに出力する。
【００１７】
ネットワーク通信部（ＮＷ通信部）２５は、不図示のＬＡＮチップなどの通信モジュールを備える通信インターフェイスであり、ネットワーク上のＰＣ（Personal Computer）などの端末装置４０に接続され、端末装置４０との間でデータの送受信を行う。
【００１８】
ファクシミリ通信部（ＦＡＸ通信部）２４は、画像データを、ネットワークを通じて他の画像形成装置やファクシミリ装置（図示せず）などとの間で送受信する。
【００１９】
振動検出部２６は、例えば既知の加速度検出センサーなどである。振動検出部２６は、画像形成装置１０の内部で生じた振動及び外部（画像形成装置１０の周辺環境）から画像形成装置１０へと伝達された振動を検出する。
【００２０】
騒音検出部２７は、例えば既知のマイクロフォンである。騒音検出部２７は、画像形成装置１０の内部で生じた騒音及び画像形成装置１０の周辺環境で生じた騒音を検出する。
【００２１】
記憶部２８は、ＳＳＤ（Solid State Drive）、ＨＤＤ（Hard Disk Drive）などの大容量の記憶装置であって、各種のアプリケーションプログラムや種々のデータを記憶している。
【００２２】
制御ユニット２９は、プロセッサー、ＲＡＭ(Random Access Memory）、及びＲＯＭ（Read Only Memory）などから構成される。プロセッサーは、例えばＣＰＵ（Central Processing Unit）、ＡＳＩＣ（Application Specific Integrated Circuit）、又はＭＰＵ（Micro Processing Unit）等である。制御ユニット２９は、上記のＲＯＭ又は記憶部２８に記憶された制御プログラムが上記のプロセッサーで実行されることにより、制御部３１として機能する。
【００２３】
制御ユニット２９は、画像形成装置１０を統括的に制御する。制御ユニット２９は、画像読取部１１、画像形成部１２、表示部２１、操作部２２、タッチパネル２３、ファクシミリ通信部２４、ネットワーク通信部２５、振動検出部２６、騒音検出部２７、及び記憶部２８などと接続されており、これらの構成要素の動作制御や、該各構成要素との間での信号またはデータの送受信を行う。
【００２４】
制御部３１は、画像形成装置１０による画像形成に必要な各種の処理などを実行する処理部としての役割を果たす。また、制御部３１は、タッチパネル２３から出力される検知信号あるいは操作部２２の物理キーの操作に基づき、ユーザーにより入力された操作指示を受け付ける。更に、制御部３１は、表示部２１の表示動作を制御する機能、ファクシミリ通信部２４及びネットワーク通信部２５の通信動作を制御する機能を有する。
【００２５】
このような構成の画像形成装置１０において、例えば、ユーザーが、原稿を画像読取部１１にセットし、操作部２２を操作して、コピージョブの実行の指示を入力すると、制御部３１は、その指示を受け付け、画像読取部１１により原稿の画像を読取らせて、画像形成部１２により原稿の画像を記録紙に形成させる。あるいは、画像形成装置１０では、画像及びプリントジョブの実行の指示がネットワーク通信部２５で受信されると、制御部３１は、その指示を受け付け、画像形成部１２により該画像を記録紙に形成させる。また、ユーザーが、原稿を画像読取部１１にセットし、操作部２２を操作して、送信ジョブの実行の指示を入力して、送信の宛先（メールアドレス又はＩＰアドレスなど）を入力すると、制御部３１は、その指示を受け付け、画像読取部１１により原稿の画像を読取らせ、該原稿の画像を、ネットワーク通信部２５を通じてその宛先に送信する。あるいは、ユーザーが、原稿を画像読取部１１にセットし、操作部２２を操作して、ファクシミリジョブの実行の指示を入力して、送信の宛先（受信側のファクシミリ装置の電話番号など）を入力すると、制御部３１は、その指示を受け付け、画像読取部１１により原稿の画像を読取らせ、該原稿の画像を、ファクシミリ通信部２４を通じてその宛先に送信する。
【００２６】
このように、画像形成装置１０では、制御部３１がコピージョブ、送信ジョブ、ファクシミリジョブ、プリントジョブなどを指示されて実行する。
【００２７】
一方、制御部３１は、画像形成装置１０によるジョブの実行に際し、振動検出部２６により検出された振動及び騒音検出部２７により検出された騒音を解析して、この検出された振動及び騒音を示す情報を取得し、この取得した情報を記憶部２８に予め記憶されている該ジョブの振動及び騒音を示す情報と比較して、画像形成装置１０の異常動作の発生を検出する。
【００２８】
例えば、記憶部２８には、複数種のジョブ別に、ジョブを実行しているときの画像形成装置１０の正常動作時の振動又は騒音を示す情報が該ジョブに対応付けて予め記憶されている。制御部３１は、ジョブの実行に際し、振動検出部２６により検出された振動及び騒音検出部２７により検出された騒音を解析して、この検出された振動及び騒音を示す情報を取得し、また該ジョブに対応付けられている正常動作時の振動又は騒音を示す情報を記憶部２８から読み出し、その取得した情報がその読み出した正常動作時の振動又は騒音を示す情報に一致又は近似するか否かを判定し、一致又は近似していないと判定した場合に、画像形成装置１０に異常動作が発生したことを検出する。すなわち、画像形成装置１０が正常動作しているときには該画像形成装置１０で正常な振動及び騒音が発生するので、振動検出部２６及び騒音検出部２７により検出された振動及び騒音が記憶部２８に予め記憶されている情報によって示される正常な振動及び騒音とは異なる場合に、画像形成装置１０に異常動作が発生したことが検出される。これにより、想定外の異常動作の発生を検出することができる。なお、制御部３１は、上記取得した情報が上記読み出した正常動作時の振動又は騒音を示す情報に一致又は近似すると判定した場合は、画像形成装置１０に異常動作が発生していないと検出する。
【００２９】
また、記憶部２８には、複数種のジョブ別に、ジョブを実行しているときの画像形成装置１０の異常動作時の振動又は騒音を示す情報が該ジョブに対応付けて予め記憶されている。制御部３１は、ジョブの実行に際し、振動検出部２６により検出された振動及び騒音検出部２７により検出された騒音を解析して、この検出された振動及び騒音を示す情報を取得し、また該ジョブに対応付けられている異常動作時の振動又は騒音を示す情報を記憶部２８から読み出し、その取得した情報がその読み出した異常動作時の振動又は騒音を示す情報に一致又は近似するか否かを判定し、一致又は近似すると判定した場合に、画像形成装置１０に異常動作が発生したことを検出する。すなわち、画像形成装置１０が異常動作しているときには該画像形成装置１０で異常な振動及び騒音が発生するので、振動検出部２６及び騒音検出部２７により検出された振動及び騒音が記憶部２８に予め記憶されている情報によって示される異常な振動及び騒音と一致又は近似する場合に、画像形成装置１０に異常動作が発生したことが検出される。この場合は、予め想定し得た異常動作が検出されることとなる。なお、制御部３１は、上記取得した情報が上記読み出した異常動作時の振動又は騒音を示す情報に一致又は近似しないと判定した場合は、画像形成装置１０に異常動作が発生したと検出しない。
【００３０】
また、記憶部２８には、画像形成装置１０の周辺環境の振動又は騒音を示す情報が予め記憶されている。周辺環境の振動又は騒音としては、近辺の電車からの振動、騒音、及び電話からの騒音などである。制御部３１は、ジョブの実行に際し、振動検出部２６により検出された振動及び騒音検出部２７により検出された騒音を解析して、この検出された振動及び騒音を示す情報を取得し、また画像形成装置１０の周辺環境の振動又は騒音を示す情報を記憶部２８から読み出し、その取得した情報がその読み出した周辺環境の振動又は騒音を示す情報に一致又は近似するか否かを判定し、一致又は近似すると判定した場合には、画像形成装置１０についての異常動作発生の検出を行わない。すなわち、制御部３１は、振動検出部２６及び騒音検出部２７により検出された振動及び騒音が記憶部２８に予め記憶されている情報によって示される周辺環境の振動又は騒音と一致又は近似する場合には、記憶部２８に記憶されている他の情報に基づく、画像形成装置１０についての異常動作発生の検出を行わない。これにより、周辺環境の振動又は騒音を、画像形成装置１０の異常動作によるものとして誤検出することが防止される。
【００３１】
更に、制御部３１は、そのような検出した異常動作を示す情報を履歴情報として記憶部１８に記憶させる。そして、制御部３１は、当該履歴情報に基づいてジョブの異常動作を報知するか否かを判断する。例えば、制御部３１は、当該報知として、異常動作が発生した旨を示すメッセージを表示部２１に表示させ、或いは、このメッセージをネットワーク通信部２５からネットワークを通じてサービスマン用の端末装置４０に送信する。
【００３２】
上記正常動作時の振動又は騒音を示す情報、異常動作時の振動又は騒音を示す情報、及び周辺環境の振動又は騒音を示す情報は、例えば振動又は騒音のレベル、周波数、発生周期、及び発生時間からなる。制御部３１は、振動検出部２６により検出された振動を解析して、この振動のレベル、周波数、発生周期、及び発生時間を取得する。また、制御部３１は、騒音検出部２７により検出された騒音を解析して、この騒音のレベル、周波数、発生周期、及び発生時間を取得する。
【００３３】
図３は、画像形成装置１０の正常動作時の振動又は騒音を示す情報、異常動作時の振動又は騒音を示す情報、及び画像形成装置１０の周辺環境の振動又は騒音を示す情報を予め記憶したデータテーブルＤＴを示している。この図３に示すようにデータテーブルＤＴには、コピージョブ、送信ジョブ、ファクシミリジョブ、プリントジョブなどの複数のジョブ別に、画像形成装置１０の正常動作時の振動を示す情報として振動のレベルＶＬ１、周波数ＶＦ１、発生周期ＶＰ１、発生時間ＶＴ１が記憶され、また正常動作時の騒音を示す情報として騒音のレベルＳＬ１、周波数ＳＦ１、発生周期ＳＰ１、発生時間ＳＴ１が記憶されている。また、データテーブルＤＴには、該各ジョブ別に、画像形成装置１０の異常動作時の振動を示す情報として振動のレベルＶＬ２、周波数ＶＦ２、発生周期ＶＰ２、発生時間ＶＴ２が記憶され、また異常動作時の騒音を示す情報として騒音のレベルＳＬ２、周波数ＳＦ２、発生周期ＳＰ２、発生時間ＳＴ２が記憶されている。更に、データテーブルＤＴには、周辺環境の振動を示す情報として近辺の電車からの振動のレベルＶＬ３、周波数ＶＦ３、発生周期ＶＰ３、発生時間ＶＴ３が記憶され、また周辺環境の騒音を示す情報として近辺の電車からの騒音のレベルＳＬ３、周波数ＳＦ３、発生周期ＳＰ３、発生時間ＳＴ３が記憶され、また周辺環境の他の騒音を示す情報として電話からの騒音のレベルＳＬ３、周波数ＳＦ３、発生周期ＳＰ３、発生時間ＳＴ３が記憶されている。
【００３４】
周辺環境の振動又は騒音を示す情報は、周辺環境の振動又は騒音の発生時に、ユーザーが操作部２２又はタッチパネル２３を操作して周辺環境の振動又は騒音のサンプリングを指示し、制御部３１がその指示に応じて振動検出部２６により検出された振動又は騒音検出部２７により検出された騒音を解析して取得する。あるいは、制御部３１は、操作部２２又はタッチパネル２３の操作による指示に基づき、ネットワーク通信部２５を通じて、ネットワーク上のストレージから予め設定された周辺環境の振動及び騒音を示す情報を受信して取得してもよい。更に、制御部３１は、画像形成装置１０に内蔵のＧＰＳ（図示せず）により該画像形成装置１０の位置を検出させ、ネットワーク通信部２５を通じて、ネットワーク上のストレージから該画像形成装置１０の位置に近い電車の線路や駅などを検索して、この検索結果を表示部２１に表示させ、操作部２２又はタッチパネル２３の操作による指示に基づき、ネットワーク通信部２５を通じて、ネットワーク上のストレージから電車の振動又は騒音を示す情報を取得しても構わない。
【００３５】
次に、上記のように画像形成装置１０によるジョブの実行に際し、振動検出部２６により検出された振動及び騒音検出部２７により検出された騒音に基づき画像形成装置１０の異常動作の発生を検出して報知するための処理手順を、図４に示すフローチャートなどを参照して詳細に説明する。
【００３６】
まず、制御部３１は、ジョブの実行の指示を待機しており（Ｓ１０１「Ｎｏ」）、ジョブの実行が指示されると（Ｓ１０１「Ｙｅｓ」）、該ジョブの種類を判定する（Ｓ１０２）。そして、制御部３１は、該ジョブを実行しつつ、振動検出部２６により検出された振動を解析して、この振動のレベルｖｌ、周波数ｖｆ、発生周期ｖｐ、発生時間ｖｔを取得すると共に（Ｓ１０３）、騒音検出部２７により検出された騒音を解析して、この騒音のレベルｓｌ、周波数ｓｆ、発生周期ｓｐ、発生時間ｓｔを取得する（Ｓ１０４）。
【００３７】
続いて、制御部３１は、近辺の電車からの振動のレベルＶＬ３、周波数ＶＦ３、発生周期ＶＰ３、発生時間ＶＴ３と騒音のレベルＳＬ３、周波数ＳＦ３、発生周期ＳＰ３、発生時間ＳＴ３とを記憶部２８内のデータテーブルＤＴから読出し（Ｓ１０５）、Ｓ１０３で取得した振動のレベルｖｌ、周波数ｖｆ、発生周期ｖｐ、発生時間ｖｔがその読み出した近辺の電車からの振動のレベルＶＬ３、周波数ＶＦ３、発生周期ＶＰ３、発生時間ＶＴ３に一致又は近似するか否かを判定すると共に、Ｓ１０４で取得した騒音のレベルｓｌ、周波数ｓｆ、発生周期ｓｐ、発生時間ｓｔがその読み出した近辺の電車からの騒音のレベルＳＬ３、周波数ＳＦ３、発生周期ＳＰ３、発生時間ＳＴ３に一致又は近似するか否かを判定する（Ｓ１０６）。また、制御部３１は、電話からの騒音のレベルＳＬ３、周波数ＳＦ３、発生周期ＳＰ３、発生時間ＳＴ３を記憶部２８内のデータテーブルＤＴから読み出し（Ｓ１０５）、Ｓ１０４で取得した騒音のレベルｓｌ、周波数ｓｆ、発生周期ｓｐ、発生時間ｓｔがその読み出した電話からの騒音のレベルＳＬ３、周波数ＳＦ３、発生周期ＳＰ３、発生時間ＳＴ３に一致又は近似するか否かを判定する（Ｓ１０６）。
【００３８】
詳しくは、Ｓ１０６においては、例えばＳ１０３で取得した振動のレベルｖｌが近辺の電車からの振動のレベルＶＬ３に一致するか否かが判定されるか、又は近辺の電車からの振動のレベルＶＬ３に対するＳ１０３で取得した振動のレベルｖｌの誤差が一定の範囲未満に入るか否かが制御部３１により判定される。また、Ｓ１０３で取得した振動の周波数ｖｆ、発生周期ｖｐ、発生時間ｖｔについても、近辺の電車からの振動の周波数ＶＦ３、発生周期ＶＰ３、発生時間ＶＴ３にそれぞれ一致するか否かが判定されるか、又は近辺の電車からの振動の周波数ＶＦ３、発生周期ＶＰ３、発生時間ＶＴ３に対するそれぞれの誤差が一定の範囲未満に入るか否かが制御部３１により判定される。更に、Ｓ１０４で取得した騒音のレベルｓｌ、周波数ｓｆ、発生周期ｓｐ、発生時間ｓｔについては、制御部３１により、近辺の電車からの騒音のレベルＳＬ３、周波数ＳＦ３、発生周期ＳＰ３、発生時間ＳＴ３にそれぞれ一致するか否かが判定されるか、又は近辺の電車からの騒音のレベルＳＬ３、周波数ＳＦ３、発生周期ＳＰ３、発生時間ＳＴ３に対するそれぞれの誤差が一定の範囲未満に入るか否かが判定される。同様に、Ｓ１０４で取得した騒音のレベルｓｌ、周波数ｓｆ、発生周期ｓｐ、発生時間ｓｔについては、電話からの騒音のレベルＳＬ３、周波数ＳＦ３、発生周期ＳＰ３、発生時間ＳＴ３にそれぞれ一致するか否かが判定されるか、又は電話からの騒音のレベルＳＬ３、周波数ＳＦ３、発生周期ＳＰ３、発生時間ＳＴ３に対するそれぞれの誤差が一定の範囲未満に入るか否かが制御部３１により判定される。
【００３９】
例えば、制御部３１は、Ｓ１０３で取得した振動のレベルｖｌ、周波数ｖｆ、発生周期ｖｐ、発生時間ｖｔが近辺の電車からの振動のレベルＶＬ３、周波数ＶＦ３、発生周期ＶＰ３、発生時間ＶＴ３に一致又は近似し、かつＳ１０４で取得した騒音のレベルｓｌ、周波数ｓｆ、発生周期ｓｐ、発生時間ｓｔが近辺の電車からの騒音のレベルＳＬ３、周波数ＳＦ３、発生周期ＳＰ３、発生時間ＳＴ３に一致又は近似すると判定すると（Ｓ１０６「Ｙｅｓ」）、Ｓ１０７以降の処理を行わず、よって異常動作が発生したか否かの検出を行わずに、Ｓ１０３からの処理に戻る。
【００４０】
同様に、制御部３１は、Ｓ１０４で取得した騒音のレベルｓｌ、周波数ｓｆ、発生周期ｓｐ、発生時間ｓｔが電話からの騒音のレベルＳＬ３、周波数ＳＦ３、発生周期ＳＰ３、発生時間ＳＴ３に一致又は近似すると判定すると（Ｓ１０６「Ｙｅｓ」）、Ｓ１０７以降の処理を行わず、よって異常動作発生の検出を行わずに、Ｓ１０３からの処理に戻る。これにより、周辺環境の振動又は騒音を、画像形成装置１０の異常動作によるものとして誤検出することが防止される。
【００４１】
また、制御部３１は、Ｓ１０３で取得した振動のレベルｖｌ、周波数ｖｆ、発生周期ｖｐ、発生時間ｖｔが近辺の電車からの振動のレベルＶＬ３、周波数ＶＦ３、発生周期ＶＰ３、発生時間ＶＴ３に一致又は近似せず、かつＳ１０４で取得した騒音のレベルｓｌ、周波数ｓｆ、発生周期ｓｐ、発生時間ｓｔが近辺の電車からの騒音のレベルＳＬ３、周波数ＳＦ３、発生周期ＳＰ３、発生時間ＳＴ３に一致又は近似しないと判定すると共に、Ｓ１０４で取得した騒音のレベルｓｌ、周波数ｓｆ、発生周期ｓｐ、発生時間ｓｔが電話からの騒音のレベルＳＬ３、周波数ＳＦ３、発生周期ＳＰ３、発生時間ＳＴ３に一致又は近似しないと判定すると（Ｓ１０６「Ｎｏ」）、Ｓ１０７以降の処理を行う。
【００４２】
この場合、制御部３１は、Ｓ１０２で判定されたジョブの種類に対応付けられている画像形成装置１０の異常動作時の振動のレベルＶＬ２、周波数ＶＦ２、発生周期ＶＰ２、発生時間ＶＴ２と、騒音のレベルＳＬ２、周波数ＳＦ２、発生周期ＳＰ２、発生時間ＳＴ２とを記憶部２８内のデータテーブルＤＴから読み出し（Ｓ１０７）、Ｓ１０３で取得した振動のレベルｖｌ、周波数ｖｆ、発生周期ｖｐ、発生時間ｖｔがその読み出した異常動作時の振動のレベルＶＬ２、周波数ＶＦ２、発生周期ＶＰ２、発生時間ＶＴ２に一致又は近似し、かつＳ１０４で取得した騒音のレベルｓｌ、周波数ｓｆ、発生周期ｓｐ、発生時間ｓｔがその読み出した異常動作時の騒音のレベルＳＬ２、周波数ＳＦ２、発生周期ＳＰ２、発生時間ＳＴ２に一致又は近似するか否かを判定する（Ｓ１０８）。このＳ１０８においても、Ｓ１０６と同様に、Ｓ１０３で取得した振動のレベルｖｌ、周波数ｖｆ、発生周期ｖｐ、発生時間ｖｔについては、Ｓ１０７で読み出した異常動作時の振動のレベルＶＬ２、周波数ＶＦ２、発生周期ＶＰ２、発生時間ＶＴ２にそれぞれ一致するか否かが判定されるか、又は該異常動作時の振動のレベルＶＬ２、周波数ＶＦ２、発生周期ＶＰ２、発生時間ＶＴ２に対するそれぞれの誤差が一定の範囲未満に入るか否かが判定され、またＳ１０４で取得した騒音のレベルｓｌ、周波数ｓｆ、発生周期ｓｐ、発生時間ｓｔについては、Ｓ１０７で読み出した異常動作時の騒音のレベルＳＬ２、周波数ＳＦ２、発生周期ＳＰ２、発生時間ＳＴ２にそれぞれ一致するか否かが判定されるか、又は該異常動作時の騒音のレベルＳＬ２、周波数ＳＦ２、発生周期ＳＰ２、発生時間ＳＴ２に対するそれぞれの誤差が一定の範囲未満に入るか否かが判定される。
【００４３】
例えば、制御部３１は、Ｓ１０３で取得した振動のレベルｖｌ、周波数ｖｆ、発生周期ｖｐ、発生時間ｖｔがＳ１０７で読み出した異常動作時の振動のレベルＶＬ２、周波数ＶＦ２、発生周期ＶＰ２、発生時間ＶＴ２に一致又は近似し、かつＳ１０４で取得した騒音のレベルｓｌ、周波数ｓｆ、発生周期ｓｐ、発生時間ｓｔがＳ１０７で読み出した異常動作時の騒音のレベルＳＬ２、周波数ＳＦ２、発生周期ＳＰ２、発生時間ＳＴ２に一致又は近似すると判定すると（Ｓ１０８「Ｙｅｓ」）、Ｓ１０２で判定された種類のジョブの実行時の異常動作が発生したことを検出する（Ｓ１０９）。これにより、想定外の異常動作の発生が検出される。
【００４４】
そして、制御部３１は、Ｓ１０２で判定されたジョブの種類、Ｓ１０３で取得した振動のレベルｖｌ、周波数ｖｆ、発生周期ｖｐ、発生時間ｖｔ、及びＳ１０４で取得した騒音のレベルｓｌ、周波数ｓｆ、発生周期ｓｐ、発生時間ｓｔを異常動作の履歴情報として記憶部２８に記憶させる（Ｓ１１０）。
【００４５】
また、制御部３１は、Ｓ１０３で取得した振動のレベルｖｌ、周波数ｖｆ、発生周期ｖｐ、発生時間ｖｔがＳ１０７で読み出した異常動作時の振動のレベルＶＬ２、周波数ＶＦ２、発生周期ＶＰ２、発生時間ＶＴ２に一致又は近似しないか、又はＳ１０４で取得した騒音のレベルｓｌ、周波数ｓｆ、発生周期ｓｐ、発生時間ｓｔがＳ１０７で読み出した異常動作時の騒音のレベルＳＬ２、周波数ＳＦ２、発生周期ＳＰ２、発生時間ＳＴ２に一致又は近似しないと判定すると（Ｓ１０８「Ｎｏ」）、次のＳ１１１、Ｓ１１２の処理を行う。
【００４６】
この場合、制御部３１は、Ｓ１０２で判定されたジョブの種類に対応付けられている画像形成装置１０の正常動作時の振動のレベルＶＬ１、周波数ＶＦ１、発生周期ＶＰ１、発生時間ＶＴ１と、騒音のレベルＳＬ１、周波数ＳＦ１、発生周期ＳＰ１、発生時間ＳＴ１とを記憶部２８内のデータテーブルＤＴから読み出し（Ｓ１１１）、Ｓ１０３で取得した振動のレベルｖｌ、周波数ｖｆ、発生周期ｖｐ、発生時間ｖｔがその読み出した正常動作時の振動のレベルＶＬ１、周波数ＶＦ１、発生周期ＶＰ１、発生時間ＶＴ１に一致又は近似し、かつＳ１０４で取得した騒音のレベルｓｌ、周波数ｓｆ、発生周期ｓｐ、発生時間ｓｔがその読み出した正常動作時の騒音のレベルＳＬ１、周波数ＳＦ１、発生周期ＳＰ１、発生時間ＳＴ１に一致又は近似するか否かを判定する（Ｓ１１２）。このＳ１１２においても、Ｓ１０５と同様に、Ｓ１０３で取得した振動のレベルｖｌ、周波数ｖｆ、発生周期ｖｐ、発生時間ｖｔについては、Ｓ１１１で読み出した正常動作時の振動のレベルＶＬ１、周波数ＶＦ１、発生周期ＶＰ１、発生時間ＶＴ１にそれぞれ一致するか否かが判定されるか、又は該正常動作時の振動のレベルＶＬ１、周波数ＶＦ１、発生周期ＶＰ１に対するそれぞれの誤差が一定の範囲未満に入るか否かが判定され、またＳ１０４で取得した騒音のレベルｓｌ、周波数ｓｆ、発生周期ｓｐ、発生時間ｓｔについては、Ｓ１１１で読み出し正常動作時の騒音のレベルＳＬ１、周波数ＳＦ１、発生周期ＳＰ１、発生時間ＳＴ１にそれぞれ一致するか否かが判定されるか、又は該正常動作時の騒音のレベルＳＬ１、周波数ＳＦ１、発生周期ＳＰ１、発生時間ＳＴ１に対するそれぞれの誤差が一定の範囲未満に入るか否かが判定される。
【００４７】
例えば、制御部３１は、Ｓ１０３で取得した振動のレベルｖｌ、周波数ｖｆ、発生周期ｖｐ、発生時間ｖｔがＳ１１１で読み出した正常動作時の振動のレベルＶＬ１、周波数ＶＦ１、発生周期ＶＰ１、発生時間ＶＴ１に一致又は近似し、かつＳ１０４で取得した騒音のレベルｓｌ、周波数ｓｆ、発生周期ｓｐ、発生時間ｓｔがＳ１１１で読み出した正常動作時の騒音のレベルＳＬ１、周波数ＳＦ１、発生周期ＳＰ１、発生時間ＳＴ１に一致又は近似すると判定すると（Ｓ１１２「Ｙｅｓ」）、Ｓ１０２で判定された種類のジョブの実行時に異常動作が発生していないと検出し、Ｓ１０３からの処理に戻る。
【００４８】
また、制御部３１は、Ｓ１０３で取得した振動のレベルｖｌ、周波数ｖｆ、発生周期ｖｐ、発生時間ｖｔがＳ１１１で読み出した正常動作時の振動のレベルＶＬ１、周波数ＶＦ１、発生周期ＶＰ１、発生時間ＶＴ１に一致又は近似しないか、又はＳ１０４で取得した騒音のレベルｓｌ、周波数ｓｆ、発生周期ｓｐ、発生時間ｓｔがＳ１１１で読み出した正常動作時の騒音のレベルＳＬ１、周波数ＳＦ１、発生周期ＳＰ１、発生時間ＳＴ１に一致又は近似しないと判定すると（Ｓ１１２「Ｎｏ」）、Ｓ１０２で判定された種類のジョブの実行時の異常動作が発生したことを検出する（Ｓ１０９）。これにより、想定外の異常動作の発生が検出される。
【００４９】
そして、制御部３１は、Ｓ１０２で判定されたジョブの種類、Ｓ１０３で取得した振動のレベルｖｌ、周波数ｖｆ、発生周期ｖｐ、発生時間ｖｔ、及びＳ１０４で取得した騒音のレベルｓｌ、周波数ｓｆ、発生周期ｓｐ、発生時間ｓｔを異常動作の履歴情報として記憶部２８に記憶させる（Ｓ１１０）。
【００５０】
続いて、Ｓ１０２で判定された種類のジョブの実行時の異常動作が検出され（Ｓ１０９）、このジョブの種類、Ｓ１０３で取得した振動のレベルｖｌ、周波数ｖｆ、発生周期ｖｐ、発生時間ｖｔ、及びＳ１０４で取得した騒音のレベルｓｌ、周波数ｓｆ、発生周期ｓｐ、発生時間ｓｔが異常動作の履歴情報として記憶部２８に記憶された場合（Ｓ１１０）、制御部３１は、該ジョブの異常動作の履歴情報を記憶部２８から読出し、この履歴情報に基づき該ジョブの異常動作の発生回数を求めて（Ｓ１１３）、このジョブについての異常動作の発生回数が予め設定された閾値に達したか否かを判定する（Ｓ１１４）。
【００５１】
そして、制御部３１は、該ジョブの異常動作の発生回数が閾値に達していなければ（Ｓ１１４「Ｎｏ」）、Ｓ１１５の処理を行うことなく、Ｓ１０３からの処理に戻る。
【００５２】
また、制御部３１は、該ジョブの異常動作の発生回数が閾値に達していれば（Ｓ１１４「Ｙｅｓ」）、該ジョブの異常動作が発生した旨を示すメッセージ及び該ジョブの異常動作の履歴情報を表示部２１に表示させ、或いは、管理者宛の電子メールを作成して、該メッセージ及び該ジョブの異常動作の履歴情報をその電子メールに記載して、この電子メールをネットワーク通信部２５からネットワーク上のサーバーに送信させる（Ｓ１１５）。この電子メールは、サーバーで受信され、このサーバーからサービスマンの端末装置４０へと送受信されて、端末装置４０の表示デバイスに表示される。この後、Ｓ１０３からの処理に戻る。
【００５３】
サービスマンは、端末装置４０の表示デバイスに表示された電子メールのメッセージ及びジョブの異常動作の履歴情報を見て解析し、ジョブの異常動作に対応することができる。例えば、ジョブの異常動作の履歴情報に基づき部品の異常をその寿命が来る前に判断して、該部品を交換することができる。また、部品等に異常が無く、異常動作の誤検出であることが分かった場合は、サービスマンが画像形成装置１０の操作部２２及びタッチパネル２３を操作して、その履歴情報における振動のレベルｖｌ、周波数ｖｆ、発生周期ｖｐ、発生時間ｖｔ、及び騒音のレベルｓｌ、周波数ｓｆ、発生周期ｓｐ、発生時間ｓｔを、正常動作時の振動又は騒音を示す情報としてデータテーブルＤＴに記憶させるか、又は周辺環境の振動又は騒音を示す情報としてデータテーブルＤＴに記憶させる。これにより、以降、その履歴情報における振動のレベルｖｌ、周波数ｖｆ、発生周期ｖｐ、発生時間ｖｔ、及び騒音のレベルｓｌ、周波数ｓｆ、発生周期ｓｐ、発生時間ｓｔが振動検出部２６及び騒音検出部２７で検出されても、これらがデータテーブルＤＴにおける正常動作時の振動及び騒音を示す情報あるいは周辺環境の振動及び騒音を示す情報に一致又は近似すると制御部３１により判定されることとなり、異常動作の誤検出が防止される。
【００５４】
このように本実施形態では、ジョブの実行に際し、振動検出部２６により検出された振動及び騒音検出部２７により検出された騒音を解析して、この検出された振動及び騒音を示す情報を取得し、この取得した情報をデータテーブルＤＴにおける該ジョブの正常動作時の振動及び騒音を示す情報又は異常動作時の振動及び騒音を示す情報と比較して、異常動作を検出したり、その取得した情報をデータテーブルＤＴにおける周辺環境の振動及び騒音を示す情報と比較して、異常動作の誤検出を防止したりしている。
【００５５】
また、複数種のジョブ別に、正常動作時の振動及び騒音を示す情報及び異常動作時の振動及び騒音を示す情報を設定しているので、振動検出部２６により検出された振動及び騒音検出部２７により検出された騒音と比較される情報をジョブの種類に応じて特定することができ、異常動作発生の検出精度を向上させることができる。
【００５６】
尚、上記実施形態では、制御部３１による制御の下、ジョブの異常動作の発生回数が閾値に達した場合に、ジョブの異常動作を報知しているが、異常動作時の振動のレベルＶＬ２などが一定の値に達したり、異常動作時の騒音のレベルＳＬ２などが一定の値に達したりした場合に、ジョブの異常動作を直ちに報知しても構わない。
【００５７】
また、上記実施形態では、制御部３１は、異常動作時の振動及び騒音を示す情報をデータテーブルＤＴに予め記憶させているが、振動検出部２６により検出された振動又は騒音検出部２７により検出された騒音に基づき異常動作時の振動及び騒音を示す情報を取得してもよい。この場合、制御部３１は、振動又は騒音が振動検出部２６又は騒音検出部２７により検出される度に、その検出された振動又は騒音を示す情報を記憶部２８に記憶させ、該検出された振動又は騒音を示す情報が振動検出部２６又は騒音検出部２７により以前に検出されて記憶部２８に記憶されている振動又は騒音を示す情報とは異なる場合に、該検出された振動又は騒音を示す情報を異常動作時の振動又は騒音の情報として記憶部２８に記憶させる。つまり、通常とは異なる振動又は騒音を示す情報を異常動作時のものとして設定する。以降、制御部３１は、振動検出部２６又は騒音検出部２７により振動又は騒音が検出されると、この検出された振動又は騒音を解析して、この検出された振動又は騒音を示す情報を取得し、この情報が記憶部２８に記憶させたその異常動作時の振動又は騒音を示す情報に一致又は近似するか否かを判定し、一致又は近似すると判定した場合に、異常動作が発生したことを検出する。
【００５８】
また、上記実施形態では、本発明に係る画像形成装置の一実施形態を、画像形成装置（複合機）を用いて説明しているが、これは一例に過ぎず、コピー機、プリンター、ファクシミリ装置等の他の画像形成装置でもよい。
【００５９】
また、図１乃至図４を用いて説明した上記実施形態及び変形例の構成及び処理は、本発明の一例に過ぎず、本発明を当該構成及び処理に限定する趣旨ではない。
【符号の説明】
【００６０】
１０    画像形成装置
１１    画像読取部
１２    画像形成部
２１    表示部
２２    操作部
２３    タッチパネル
２４    ファクシミリ通信部
２５    ネットワーク通信部
２６    振動検出部
２７    騒音検出部
２８    記憶部
２９    制御ユニット
３１    制御部
４０    端末装置
【図１】
2020197614.tif 000003
【図２】
2020197614.tif 000004
【図３】
2020197614.tif 000005
【図４】
2020197614.tif 000006